(57)【要約】【課題】  プリンタ本体に対する本体カバー側の開閉及びロックがスムーズに行われ、しかも、構造が簡素で、また、部品点数が少なく、更に、コストが安価なプリンタの開閉機構を提供する。【解決手段】  プリンタ本体１は、プリンタベース２と、プリンタベースに取付けられるプリンタ部３と、プリンタベースに取付けられるロック兼解除レバーとを有する。本体カバー側１１は、プリンタ本体のプリンタベースに回転可能に取付けられる開閉用アーム１３と、開閉用アームに長孔１３ａと可動軸１４によって移動可能に取付けられるプラテン部取付板１５と、プラテン部取付板に取付けられるプラテン部と、開閉用アームに取付けられるカバーとを有する。本体カバー側がプリンタ本体に対して閉じるとき、プラテン部がロック兼解除レバーと係合することによって、本体カバー側がプリンタ本体にロックされる。【選択図】  図３
2005238494.tif 000002
【特許請求の範囲】
【請求項１】
プリンタ本体と、前記プリンタ本体に回転可能に取付けられる本体カバー側とから構成され、
前記プリンタ本体は、プリンタベースと、前記プリンタベースに取付けられるプリンタ部と、前記プリンタベースに取付けられるロック兼解除部材とを有し、
前記本体カバー側は、前記プリンタベースに回転可能に取付けられる開閉用アームと、前記開閉用アームに移動可能に取付けられるプラテン部取付板と、前記プラテン部取付板に取付けられるプラテン部と、前記開閉用アームに取付けられるカバーとを有し、
前記本体カバー側が前記プリンタ本体に対して閉じるとき、前記プラテン部が前記ロック兼解除部材と係合することによって、前記本体カバー側が前記プリンタ本体にロックされることを特徴とするプリンタの開閉機構。
【請求項２】
前記開閉用アームに形成される長孔に前記プラテン部取付板に固定される軸がはまることによって、前記プラテン部取付板は前記開閉用アームに移動可能に取付けられることを特徴とする請求項１記載のプリンタの開閉機構。
【請求項３】
前記長孔はトラック状の孔であることを特徴とする請求項２記載のプリンタの開閉機構。
【請求項４】
前記ロック兼解除部材は略Ｌ字状に構成されてロック凹部を有することを特徴とする請求項１記載のプリンタの開閉機構。
【請求項５】
前記ロック凹部に前記プラテン部に設けられる軸が係合することによって、前記本体カバー側が前記プリンタ本体にロックされることを特徴とする請求項４記載のプリンタの開閉機構。
【請求項６】
前記プラテン部に設けられる軸に動力伝達用の歯車が固定されることを特徴とする請求項５記載のプリンタの開閉機構。
【発明の詳細な説明】
【技術分野】
【０００１】
本発明は、プリンタの開閉機構に関し、詳しく述べると、プリンタ本体と本体カバー側との開閉及びロックをスムーズに行う機構に関する。
【背景技術】
【０００２】
第１の従来の技術のプリンタについて説明する。このプリンタにおいては、プリンタ本体に対してカバーを開閉し易くするために、また、カバーがプリンタ本体にスムーズにロックされるために、次の構造が採用されている。すなわち、カバーの両側に長孔を形成し、プリンタ本体に軸を設ける。両長孔を軸にはめ込むが、両長孔と軸との間には、クリアランスが設けられている。
【０００３】
第２の従来の技術として、ファクシミリ装置及び電子写真プリンタ等に装備される上蓋のロック機構について説明する（例えば、特許文献１参照。）。
【０００４】
図７は、側面側から見た要部の模式的断面図である。図８は、一部を破断して示す要部の平面図である。
【０００５】
上蓋のロック機構は、図８（Ａ），（Ｂ）に示されるように、装置フレーム３１の前面３１ａ側に設けられる一対のストッパ３２，３２、各ストッパ３２，３２にスライド可能にはめられるスライド軸３３、スライド軸３３に軸方向に移動しないように固定され、かつ、一方向のみに回転可能な一対の歯車３４，３４、スライド軸３３の一端に固定される操作レバー３５、上蓋４１に設けられ、上蓋４１を閉じるときに各歯車３４，３４の歯部３４ａ，３４ａを図８の紙表側（手前側）から紙背側（向側）に押圧して各歯車３４，３４を回転させる一対のフック４２，４２、及び各歯車３４，３４を矢印Ｘ′方向に付勢する一対の復帰ばね３６，３６を有する。
【０００６】
なお、各歯車３４，３４は、例えば爪車等を内蔵することによって一方向のみに回転可能に構成される。また、各ストッパ３２，３２が各歯車３４，３４に従動して回転しないように、スライド軸３３にはまる各ストッパ３２，３２の孔３２ａ，３２ａは正方形等の断面形状に形成される。
【０００７】
上蓋４１のロック機構の動作を図７と図８を参照して説明する。図８（Ａ）は上蓋４１がロックされた状態、図８（Ｂ）は上蓋４１のロックが解除された状態を、それぞれ示す。
【０００８】
１．上蓋４１をロックする場合（図８（Ａ））
（１）装置フレーム３１に支点軸４０によって支持された上蓋４１を図７（Ａ）の矢印Ａ方向に回転させて閉じる。
【０００９】
（２）上蓋４１の回転によって、各フック４２，４２が各係止位置Ｋ，Ｋに位置する各歯車３４，３４の歯部３４ａ，３４ａを押圧するので、各歯車３４，３４は矢印Ｂ方向に回転する。
【００１０】
（３）上蓋４１が完全に閉じられると、各フック４２，４２は、図７（Ｂ）に示されるように、各歯車３４，３４の歯部３４ａ，３４ａによって挟持される状態に至る。
【００１１】
（４）各歯車３４，３４は逆方向には回転しないため、上蓋４１は、矢印Ａ′方向に復帰することができず、閉じられた状態でロックされる。
【００１２】
２．上蓋４１のロックを解除する場合（図８（Ｂ））
（１）操作レバー３５を図８（Ｂ）の矢印Ｘ方向に押圧する。
【００１３】
（２）スライド軸３３が矢印Ｘ方向に移動するので、スライド軸３３に固定されている各歯車３４，３４は各係止位置Ｋ，Ｋから復帰ばね３６，３６を圧縮して係止解除位置Ｌ，Ｌまで移動して停止する。
【００１４】
（３）各歯車３４，３４の移動によって、各歯部３４ａ，３４ａにロックされている上蓋４１の各フック４２，４２は、解放される。
【００１５】
（４）各フック４２，４２が各歯部３４ａ，３４ａのロックから解放されると、上蓋４１は図示しないばねの作用によって矢印Ａ′方向に開く。
【００１６】
【特許文献１】実願昭６２−１０６７７６号（実開昭６４−１１７５８号）のマイクロフィルム（第６頁第１３行−第９頁第９行、図１，２）
【発明の開示】
【発明が解決しようとする課題】
【００１７】
前記第１の従来の技術プリンタでは、カバー全体がプリンタ本体に対してクリアランスの寸法分だけ移動を許容されるために、カバーの回転動作に支障を来たす。また、カバーは、プリンタ本体にスムーズにロックされ難い。
【００１８】
前記第２の従来の技術のプリンタ等の上蓋のロック機構は、構造が複雑で、また、部品点数が多く、更に、コストが高価である。
【００１９】
そこで、本発明は、前記両従来の技術の欠点を改良し、プラテン本体に対する本体カバー側の開閉及びロックがスムーズに行われ、しかも、構造が簡素で、また、部品点数が少なく、更に、コストが安価なプリンタの開閉機構を提供しようとするものである。
【課題を解決するための手段】
【００２０】
本発明は、前記課題を解決するため、次の手段を採用する。
【００２１】
１．プリンタ本体と、前記プリンタ本体に回転可能に取付けられる本体カバー側とから構成され、前記プリンタ本体は、プリンタベースと、前記プリンタベースに取付けられるプリンタ部と、前記プリンタベースに取付けられるロック兼解除部材とを有し、前記本体カバー側は、前記プリンタベースに回転可能に取付けられる開閉用アームと、前記開閉用アームに移動可能に取付けられるプラテン部取付板と、前記プラテン部取付板に取付けられるプラテン部と、前記開閉用アームに取付けられるカバーとを有し、前記本体カバー側が前記プリンタ本体に対して閉じるとき、前記プラテン部が前記ロック兼解除部材と係合することによって、前記本体カバー側が前記プリンタ本体にロックされるプリンタの開閉機構。
【００２２】
２．前記開閉用アームに形成される長孔に前記プラテン部取付板に固定される軸がはまることによって、前記プラテン部取付板は前記開閉用アームに移動可能に取付けられる前記１記載のプリンタの開閉機構。
【００２３】
３．前記長孔はトラック状の孔である前記２記載のプリンタの開閉機構。
【００２４】
４．前記ロック兼解除部材は略Ｌ字状に構成されてロック凹部を有する前記１記載のプリンタの開閉機構。
【００２５】
５．前記ロック凹部に前記プラテン部に設けられる軸が係合することによって、前記本体カバー側が前記プリンタ本体にロックされる前記４記載のプリンタの開閉機構。
【００２６】
６．前記プラテン部に設けられる軸に動力伝達用の歯車が固定される前記５記載のプリンタの開閉機構。
【発明の効果】
【００２７】
明細書の説明から明らかなように、本発明は、次の効果を奏する。
【００２８】
１．プラテン部取付板のみが開閉用アームに移動可能に取付けられているから、プラテン部はロック兼解除部材と容易に係合するので、本体カバー側はスムーズに回転してプリンタ本体にロックされる。
【００２９】
２．本体カバー側は、開閉用アームと、プラテン部取付板と、プラテン部と、カバーとから構成されるので、構造が簡素で、また、部品点数が少なく、更に、コストが安価である。
【発明を実施するための最良の形態】
【００３０】
本発明の一実施例のプリンタの開閉機構について説明する。
【実施例１】
【００３１】
本発明の実施例１について図１〜図６を参照して説明する。図１はプリンタ本体から本体カバー側を開いた状態の斜視図、図２は本体カバー側をプリンタ本体に対して閉じた状態の斜視図、図３は図２においてカバーを取り除いた状態の斜視図、図４は開閉用アーム、プラテン部取付板、及びプラテン部取付板の可動軸の付近の拡大側面図、図５は本体カバー側をプリンタ本体に対して閉じた状態の正面図、図６は図５における線Ａ−Ａによる断面図を、それぞれ示す。
【００３２】
まず、図１を参照して、実施例１のプリンタ本体１の構造を説明する。プリンタ本体１は、プリンタベース（プリンタ取付板）２と、プリンタ部３と、一対のモータ４，５と、各モータ４，５の出力軸に固定される各歯車（図示せず）と、電気ケーブル６，７と、プリンタ部３の右側付近に設置されている略Ｌ字状のロック兼解除レバー８とを有する。プリンタ部３と、各モータ４，５、各電気ケーブル６，７、及びロック兼解除レバー８は、プリンタベース２に取付けられる。
【００３３】
次に、図１〜図４を参照して、本体カバー側１１の構造を説明する。本体カバー側１１は、プリンタベース２に回転軸１２によって取付けられる左右対称形状の開閉用アーム１３と、開閉用アーム１３の長孔１３ａ（詳細は後述する。）に可動軸１４によって若干移動可能に取付けられるプラテン部取付板１５と、開閉用アーム１３に取付けられるカバー１６と、プラテン部取付板１５の左右両側に設けられる一対の支持部１５ａ，１５ｂと、各支持部１５ａ，１５ｂに回転可能に取付けられるプラテン部１７と、プラテン部１７の左右両側の各軸１７ａ，１７ｂに固定される歯車１８，１９と、各歯車１８，１９とかみ合う各中間歯車２０，２１と、ロール状に巻回された用紙の左右両側をガイドする一対の側面ガイド１６ａ，１６ｂと、同用紙の上部の位置を規制する一対の上面ガイド１６ｃ，１６ｄとを有する。各中間歯車２０，２１は、プラテン部取付板１５に取付けられ、各側面ガイド１６ａ，１６ｂと各上面ガイド１６ｃ，１６ｄは、カバー１６に設けられる。
【００３４】
開閉用アーム１３の長孔１３ａは、図３（Ｂ）に示されるように、陸上競技等用のトラック状（長方形の両短辺に半円を連結することによって得られる形状）に形成され、この長孔１３ａにプラテン部取付板１５に固定される可動軸１４はクリアランスをもってはまる。
【００３５】
本体カバー側１１のプリンタ本体１に対する開閉について説明する。
【００３６】
まず、本体カバー側１１を図１に示される開いた状態からプリンタ本体１に対して図２、図５、図６に示される閉じた状態に回転させる操作について説明する。本体カバー側１１をプリンタ本体１に接近するように回転させる。すると、開閉用アーム１３が、回転軸１２を中心として回転するから、プラテン部１７の軸１７ｂは、ロック兼解除レバー８のロック凹部８ａに係合する。ロック兼解除レバー８は、ばね（図示せず）によって図１における上方へ常時付勢されている。したがって、本体カバー側１１は、プリンタ本体１に対して図２、図５、図６に示される閉じた状態に至ってロックされる。このとき、プラテン部取付板１５に固定される可動軸１４が、開閉用アーム１３の長孔１３ａにクリアランスをもってはまっているので、プラテン部１７の軸１７ｂは、ロック兼解除レバー８のロック凹部８ａに対して位置が若干ずれていても、ロック凹部８ａにスムーズに係合する。
【００３７】
各モータ４，５が回転すると、回転力は、各モータ４，５の出力軸に固定される各歯車、各中間歯車１８，１９、及び各歯車２０，２１を介してプラテン部１７に伝達される。プラテン部１７が回転すると、プリンタの内部に収容されている用紙は、搬送されて、図６に示されるように、プリンタ部３とプラテン部１７の間を通過するときに印字され、用紙経路Ｐを経てプリンタの外部に排出される。
【００３８】
次に、本体カバー側１１のプリンタ本体１に対するロックを解除する操作について説明する。ロック兼解除レバー８を手指によって図１における下方へ押すと、ロック凹部８ａは、プラテン部１７の軸１７ｂから離間する。したがって、本体カバー側１１は、図２、図５、図６に示されるプリンタ本体１に対する閉じた状態から図１に示される開いた状態まで回転することができる。
【００３９】
実施例１における略Ｌ字状のロック兼解除レバー８を、他の形状のロック兼解除ボタン等の部材に設計変更することができる。また、ロック兼解除部材は、プリンタ部３の左右両側付近に設置することもできる。
【図面の簡単な説明】
【００４０】
【図１】本発明の実施例１に係るプリンタにおいて、プリンタ本体から本体カバー側が開いた状態の斜視図である。
【図２】同プリンタにおいて、同本体カバー側が同プリンタ本体に対して閉じた状態の斜視図である。
【図３】図２において、カバーが取り除かれた状態の斜視図である。
【図４】図３における開閉用アーム、プラテン部取付板、及び同プラテン部取付板の可動軸の付近の拡大側面図である。
【図５】同プリンタにおいて、同本体カバー側が同プリンタ本体に対して閉じた状態の正面図である。
【図６】図５における線Ａ−Ａによる断面図である。
【図７】第２の従来の技術の側面側から見た要部の模式的断面図であり、（Ａ）は上蓋が装置フレームに対して閉じる途中の状態、（Ｂ）は同上蓋が同装置フレームに対して閉じた状態を、それぞれ示す。
【図８】第２の従来の技術の一部を破断して示す要部の平面図であり、（Ａ）は同上蓋がロックされた状態、（Ｂ）は同上蓋のロックが解除された状態を、それぞれ示す。
【符号の説明】
【００４１】
１  プリンタ本体
２  プリンタベース（プリンタ取付板）
３  プリンタ部
４，５  モータ
６，７  電気ケーブル
８  ロック兼解除レバー
８ａ  ロック凹部
１１  本体カバー側
１２  回転軸
１３  開閉用アーム
１３ａ  長孔
１４  可動軸
１５  プラテン部取付板
１５ａ，１５ｂ  支持部
１６  カバー
１６ａ，１６ｂ  側面ガイド
１６ｃ，１６ｄ  上面ガイド
１７  プラテン部
１７ａ，１７ｂ  軸
１８，１９  歯車
２０，２１  中間歯車
Ｐ  用紙経路
【図１】
2005238494.tif 000003
【図２】
2005238494.tif 000004
【図３】
2005238494.tif 000005
【図４】
2005238494.tif 000006
【図５】
2005238494.tif 000007
【図６】
2005238494.tif 000008
【図７】
2005238494.tif 000009
【図８】
2005238494.tif 000010